(57)【要約】【課題】  フレキシブルフラットケーブル（以下、ＦＦＣ）の幅方向への可撓性を付与する手段を提供する。【解決手段】  ＦＦＣを構成する２枚の絶縁体の張り合わせ面に印刷技術により構成された導電体間に絶縁体を貫通する切り込みを配設する。切り込みにより分割されたＦＦＣの個々の部分の横幅は狭くなり、個々の部分の絶縁体は、容易にねじれ変形が可能となり、ＦＦＣ端部とコネクターとの相互位置関係のずれによりＦＦＣの絶縁体内部に発生する絶縁体の幅方向の内部応力は、切り込みの配設によるＦＦＣのねじれ変形により緩和され、結果としてＦＦＣの幅方向への可撓性を付与させることが出来る。【選択図】  図１
2005116300.tif 000002
【特許請求の範囲】
【請求項１】
複数本の導電体間に導電体と平行して切り込みを穿配したことを特徴とするフレキシブルフラットケーブル。
【請求項２】
請求項１に記載のフレキシブルフラットケーブルにおいて、全ての導電体間に絶縁体を貫通する切り込みを穿配したことを特徴とするフレキシブルフラットケーブル。
【請求項３】
請求項１に記載のフレキシブルフラットケーブルにおいて、複数本の導電体毎に切り込みを穿配したことを特徴とするフレキシブルフラットケーブル。
【請求項４】
請求項１に記載のフレキシブルフラットケーブルにおいて、ケーブルの幅方向の両端部から中心部に向かい、切り込みの穿配密度を高めたことを特徴とするフレキシブルフラットケーブル。
【請求項５】
請求項１乃至４の何れかに記載のフレキシブルフラットケーブルにおいて、切り込み自体に幅を有することを特徴とするフレキシブルフラットケーブル。
【請求項６】
請求項５に記載のフレキシブルフラットケーブルにおいて、切り込みの両端部のコーナー部分に丸みを持たせ、あるいは、切り込みの両端部を切り込みの幅寸法より大きい直径の円状としたことを特徴とするフレキシブルフラットケーブル。
【発明の詳細な説明】
【技術分野】
【０００１】
本発明は、電子機器の小型化や電気回路接続コストの低減を目的に印刷回路基板内、印刷回路基板間、印刷回路基板と他の電子回路ユニット間の接続用として従来の絶縁被覆電線に替え、柔軟性を有する２枚のフィルム状樹脂材料製の絶縁体の張り合わせ面に導電体を印刷技術により配設したフレキシブルフラットケーブル（以後、ＦＦＣと略称）に関する技術である。
【背景技術】
【０００２】
ＦＦＣの両端部のそれぞれが接続されるべき一組のコネクター相互の位置関係が近接し、短いＦＦＣにより一組のコネクター間の接続が出来る場合にも、コネクター間距離よりも長いＦＦＣを適用し、ＦＦＣの長さ余裕により生ずる撓みを利用することにより、接続作業性の改善、および、コネクター相互の位置関係のずれに起因して発生する不具合防止を実現している。しかしながら、コネクター間の接続に必要な長さよりも長いＦＦＣの適用は、機器の小型化、経済的構成の妨げとなる。
【０００３】
【特許文献１】特開２００２-１８４４９６号公報
【特許文献２】特開２００３-１６８５０９号公報
【発明の開示】
【発明が解決しようとする課題】
【０００４】
ＦＦＣは、面と垂直な方向へは柔軟であり容易に撓む。しかしながら、ＦＦＣを構成する２枚の絶縁体張り合わせ面に印刷技術により配設された導電体の剥離や断線事故を防止するため、絶縁体材料としては剛性が高く、従って可撓性の低いポリエステル系合成樹脂材料が用いられ、ＦＦＣ面と平行な方向には、可撓性を示さない。
【０００５】
通常、ＦＦＣの両端末位置には、ＦＦＣの導電体と印刷回路基板上の電気回路との接続用コネクターが配設されており、印刷技術により高密度に配設されたＦＦＣ両端の多数の導電体とコネクター内に同様に高密度で配設された多数の端子が、それぞれに対関係を保ちながら各導電体面に適度な圧力を加え電気的接続機能を実現している。しかしながら、ＦＦＣの両端末位置に配設されたコネクターの横方向の位置関係に僅かでもずれがある場合に、ＦＦＣが横方向に撓まず位置ずれを吸収することが出来ないため、ＦＦＣの端末部には大きな応力が加わる。
【０００６】
上記、応力が原因でコネクターへのＦＦＣ端末部の挿入作業が困難となり、あるいは、挿入後も衝撃や使用中の機器内温度の変化に伴いコネクターが組み付けられた印刷配線基板の支持機構の位置ずれの悪化により、相互の寸法精度関係が厳密に要求されるＦＦＣ端末部分の導電体とコネクターの端子部分での電気的短絡や接触不良事故の誘発原因となる。
【課題を解決するための手段】
【０００７】
上述の問題に対応するため、本発明は、図１に示すＦＦＣ面の幅方向Ｂへ可撓性を付与する手段を提供する。ＦＦＣの導電体２相互間の位置にＦＦＣ両端末部５の補強板３に達しない長さの切り込み４を穿配する。切り込み４は、全ての導電体２間に穿配する場合、数本の導電体２毎に穿配する場合、あるいは、ＦＦＣの幅方向Ｂの両端末部５から離れ、中心に向かう程、切り込み４の配設密度を高くすることも可能である。
【０００８】
切り込み４は、薄い形状の刃先を有するカッターで加工することが可能である他に、図３(ｂ)、図３(ｃ)および図３(ｅ)に示すごとく切り込み４に隣接する導電体２に接しない範囲で一定の幅を有する穿孔形状とすることも可能である。
【発明の効果】
【０００９】
以上述べたように本発明は、ＦＦＣを構成する２枚の絶縁体１の張り合わせ面に配設された複数本の導電体２間に切り込み４を穿配することによりつぎのような効果が得られる。ＦＦＣとコネクターとの位置関係ずれにより、ＦＦＣ内部に応力が生じた場合、絶縁体１面に導電体２と平行なｎ本の切り込みを穿配することで、切り込み４により分割された個々のＦＦＣの横幅が狭くなるために、ねじれ変形が容易となり、ＦＦＣ絶縁体１のねじれ変形によりＦＦＣとコネクターとの位置ずれを吸収する事が出来る。
【００１０】
ＦＦＣの幅方向Ｂへの可撓性は、全ての導電体２間に切り込み４を配設することで効果的に付与することが出来るが、ＦＦＣの長さが、幅に比して充分に長い場合は、必ずしも全ての導電体２間に切り込み４を要せず、ＦＦＣの長さと幅との比を勘案しながら複数本の導電体２毎に切り込み４を配設することも可能であり、また、ＦＦＣの幅方向Ｂの両辺では潜在応力が解放されているのに対し、絶縁体１の幅方向Ｂ中央部は、より大きな潜在応力を有するため、切り込み４の配設密度を高め、絶縁体１のねじれ変形による潜在応力の緩和を容易にする事も可能である。
【００１１】
切り込み４は、図３(a)に示すごとく薄い形状の刃先を有するカッターで加工する方法、または、図３(b)に示すごとく短冊状に穿孔する方法も可能であるが、図３(a)の切り込み４の両端部分、図３(b)の短冊状穿孔の４隅のコーナー部分には、絶縁体１内の潜在応力の集中に起因し、絶縁体１の前記該部分を起点とした亀裂状損傷が発生し、導電体２の断線事故を惹起することがある。切り込み４の両端部には図３(c)乃至図３(e)に示す形状を適用し、前記該部分の応力分散を図ることにより上記不具合の発生防止が可能である。
【実施例１】
【００１２】
本発明によるＦＦＣの幅方向Ｂへの可撓性の付与の実施例を図１乃至図３に基づき、以下に説明する。図１、図２に示すＦＦＣの絶縁体１は、面と垂直方向Ａへは柔軟で可撓性を有するが、ＦＦＣの幅方向Ｂへは、可撓性を示さず、ＦＦＣの両端末部５をコネクターに嵌合させる際に、ＦＦＣとコネクターとの互いの位置関係がＦＦＣの幅方向Ｂにずれた場合には、ＦＦＣの可撓性により位置ずれを吸収する事が出来ない。
【００１３】
このため、ＦＦＣを構成する２枚の絶縁体１の張り合わせ面に印刷技術により配設された複数の導電体２間に切り込み４を配設することにより、図１、図２に示す例では、ＦＦＣの全幅が３分割される。分割された個々の部分は、幅が狭くなるために、容易にねじれ変形し、コネクターとＦＦＣとの幅方向Ｂとの位置関係ずれを吸収することが出来、コネクターとＦＦＣとの接続作業性の向上、および、使用中の振動衝撃や熱変化に伴う相互の位置関係の寸法精度の変化にも対応することが出来る。
【実施例２】
【００１４】
ＦＦＣの幅方向Ｂへの可撓性は、全ての導電体２間に切り込み４を配設することで効果的に付与することが出来るが、ＦＦＣの長さが、幅に比して充分に長い場合は、必ずしも全ての導電体２間に切り込み４を要せず、ＦＦＣの長さと幅との比を勘案しながら複数本の導電体２毎に切り込み４を配設することも可能であり、また、ＦＦＣの幅方向Ｂの両辺では潜在応力が解放されているのに対し、絶縁体１の幅方向Ｂ中央部は、より大きな潜在応力を有するため、切り込み４の配設密度を高め、絶縁体１のねじれ変形による潜在応力の緩和を容易にする事も可能である。
【００１５】
切り込み４は、図３(a)に示すごとく薄い形状の刃先を有するカッターで加工する方法、または、図３(b)に示すごとく短冊状に穿孔する方法も可能であるが、図３(a)の切り込みの両端の応力集中点６、図３(b)の短冊状穿孔の４隅のコーナー部分の応力集中点６には、絶縁体１内の潜在応力の集中に起因し、絶縁体１の前記該部分を起点とした亀裂状損傷が発生し、導電体２の断線事故を惹起することがある。
【００１６】
このため、切り込み４の両端部には図３(c)に示すごとく、切り込み４の両端部のコーナー部分に丸みを持たせ、あるいは、図３(d)や図３(e)に示すごとく、切り込み４の両端部を切り込み４の幅よりも大きい直径の円状とし、切り込み４の両端部に発生する集中応力を分散緩和し、応力集中点６を起点とし、発生する亀裂状損傷の防止が可能である。
【産業上の利用可能性】
【００１７】
本発明の活用例として、電子機器の小型化や電気回路接続コストの低減を目的として、印刷回路基板内、印刷回路基板間、印刷回路基板と他の電子回路ユニット間に配設されたコネクター間の接続用途に適用できる。
【図面の簡単な説明】
【００１８】
【図１】本発明によるフレキシブルフラットケーブルの斜視図である。
【図２】本発明によるフレキシブルフラットケーブルの分解図である。
【図３】切り込み形状例の詳細図である。
【符号の説明】
【００１９】
１：絶縁体
２：導電体
３：補強板
４：切り込み
５：端末部
６：応力集中点
【図１】
2005116300.tif 000003
【図３】
2005116300.tif 000004
【図２】
2005116300.tif 000005